(57)【要約】【課題】転送エラーにより発生する異音を回避してユーザに与える不快感を解消する。【解決手段】音楽データ再生装置１は、データ転送中に発生する転送エラー回数を監視し、転送エラー回数が異音と認識される回数に達した場合に転送エラー検知信号を出力するデコーダ部１１と、転送エラー信号に基づき該当音楽データのミュート再生制御を行なう制御部１３もしくは音声回路部１２とを備えて構成される。【選択図】図１
2008286876.tif 000002
【特許請求の範囲】
【請求項１】
音楽データが記録された外部接続メモリから前記音楽データをデータ転送により取得して再生を行なう音楽データ再生装置であって、
データ転送中に発生する転送エラー回数を監視し、前記転送エラー回数が閾値以上と認識される回数に達した場合に転送エラー検知信号を出力するデコーダ部と、
前記転送エラー信号に基づき該当音楽データのミュート再生制御を行なう制御部、もしくは音声回路部と、
を備えたことを特徴とする音楽データ再生装置。
【請求項２】
前記制御部、もしくは音声回路部は、
前記転送エラー信号によるミュート再生の発生を外部に報知することを特徴とする請求項１記載の音楽データ再生装置。
【請求項３】
前記制御部、もしくは音声回路部は、
前記ミュート再生制御の後、前記デコーダ部により前記転送エラー回数が所定の閾値以内にあると判定された場合に前記ミュート再生を解除することを特徴とする請求項１または請求項２記載の音楽データ再生装置。
【請求項４】
前記テコーダ部は、
前記転送エラー回数が所定の閾値を超えた場合、前記外部接続メモリに対して該当音楽データのデータ転送を停止し、次候補の音楽データの転送を指示する信号を出力することを特徴とする請求項１記載の音楽データ再生装置。
【請求項５】
前記デコーダ部は、
前記音楽データのデータ形式を判定し、前記データ形式はデコード可能であるが実データはデコード不可の形式を持つ音楽データであると判定された場合、前記外部接続メモリに対して該当音楽データのデータ転送を停止する信号を出力することを特徴とする請求項１記載の音楽データ再生装置。
【請求項６】
前記デコーダ部は、
内蔵もしくは外付けされるメモリに、許容される音楽データ数分のメモリマップを割付け、前記メモリマップにデコードエラーの有無を記憶し、前記メモリマップを参照して以降の該当音楽データの転送を停止する信号を出力することを特徴とする請求項４または請求項５記載の音楽データ再生装置。
【発明の詳細な説明】
【技術分野】
【０００１】
この発明は、音楽データが記録される、例えば、ＵＳＢ（Universal Serial Bus）メモリ等の外部接続メモリから音楽データをデータ転送により取得して再生を行なう、音楽データ再生装置に関するものである。
【背景技術】
【０００２】
外部記録媒体に記録される映像や音声等のリアルタイム処理が必要なデータを正確に時間軸に合わせて再生するためのデータ転送に係る技術が従来から多数提案されている。
例えば、ホストシステムに転送されるデータの欠落を最小限とするため、一部欠落データをダミーデータとして優先的に採用してホストシステムに転送し、違和感の無い連続性を有するデータの再生を行なうデータ再生システム（例えば、特許文献１参照）、あるいは、外部接続機器から転送されるオーディオストリームのビットレートが規定値より大きい場合に発生するバッファのオーバーフローを回避するＭＰＥＧ（Moving Picture Expert Group）オーディオデコーダ等が知られている（例えば、特許文献２参照）。
【０００３】
【特許文献１】特開２００２−４２４３０号公報
【特許文献２】特開２００３−２１６１９５号公報
【発明の開示】
【発明が解決しようとする課題】
【０００４】
ところで、外部記録媒体が接続された音楽データ再生装置は、外部記録媒体から音楽データを読み出す際に転送エラーが発生してもそのまま音楽データを再生していたため、異音が発生するといった問題がある。
例えば、ＵＳＢメモリに記録された音楽データを再生する場合、アイソクロナス（Isochronous；同期）転送により音楽データをオーディオシステムに転送しているが、アイソクロナス転送では、転送エラーが発生した場合でもリアルタイムによる再生システムであるため、誤り訂正の要求はせず、エラーデータについても無処理で再生する。したがって、アイソクロナス転送にて転送エラーが発生した場合、音楽データ再生時に異音が聞こえ、ユーザに不快感を与えるといった問題があった。
【０００５】
この発明は上記した課題を解決するためになされたものであり、転送エラーにより発生する異音を回避してユーザに与える不快感を解消した音楽データ再生装置を提供することを目的とする。
【課題を解決するための手段】
【０００６】
上記した課題を解決するためにこの発明に係る音楽データ再生装置は、データ転送中に発生する転送エラー回数を監視し、前記転送エラー回数が閾値以上と認識される回数に達した場合に転送エラー検知信号を出力するデコーダ部と、前記転送エラー信号に基づき該当音楽データのミュート再生制御を行なう制御部と、を備えて構成したものである。
【発明の効果】
【０００７】
この発明によれば、転送エラーにより発生する異音を回避してユーザに与える不快感を解消した音楽データ再生装置を提供することができる。
【発明を実施するための最良の形態】
【０００８】
実施の形態１．
図１は、この発明の実施の形態１に係る音楽データ再生装置の内部構成を示すブロック図である。
図１に示されるように、この発明の実施の形態１に係る音楽データ再生装置１は、外部接続メモリ２として、例えばＵＳＢメモリが接続され、デコーダ部１１と、ＤＳＰ（Digital Signal Processor）等で構成される音声回路部１２と、ＭＰＵ（Micro Processor Unit）等で構成される制御部１３と、オーディオアンプ１４とにより構成される。また、制御部１３出力は、ＬＥＤ（Light Emitted Diode）等により構成される表示部３に、オーディオアンプ１４出力はスピーカ４に接続される。
【０００９】
上記構成において、外部接続メモリ２に記録された音楽データは、音楽データ再生装置１のデコーダ部１１に転送される。そして、この音楽データはデコーダ部１１により音声信号にデコードされる。デコーダ部１１によりデコードされた音声信号は、音声回路部１２により音質調整され、さらにオーディオアンプ１４により増幅され、スピーカ４へ出力され、音声として再生される。
【００１０】
外部接続メモリ２から音楽データ再生装置１に音楽データを転送する際に、転送エラーが発生する場合がある。その転送エラーが連続的に発生すると、その転送エラーによりスピーカ４から人間の耳が可聴できる異音が発生しユーザに不快感を与える。このため、デコーダ部１１は、外部接続メモリ２からのデータ転送中に発生する転送エラー回数を監視し、転送エラー回数が閾値以上と認識される回数に達した場合に制御部１３に対して転送エラー検知信号を出力する機能を有し、また、制御部１３は、デコーダ部１１により出力される転送エラー信号に基づき音声回路部１２を制御して該当音楽データのミュート再生を行なうとともに、表示部３を点灯させることにより、上記した異音の発生を回避してユーザに不快感を与えないようにしている。詳細は後述する。
【００１１】
図２は、図１に示すデコート部１１の内部構成を示すブロック図である。図２に示されるように、デコード部１１は、音楽データ処理部１１１と、エラーカウンタ部１１２と、音声データデコード処理部１１３とから構成される。
【００１２】
音楽データ処理部１１１は、外部接続メモリ１からのデータ転送エラーを検知し、エラーカウンタ部１１２にて音楽データの転送エラー数をカウントする。音楽データデコード処理部１１３は、音楽データ処理部１１１を介して出力される音楽データ信号を音声信号にデコードして音声回路部１２へ供給する。
エラーカウンタ部１１２にてカウントされる転送エラー数が、例えば、連続１０回、あるいは１０ｍ秒間に発生する実験等で確認された適切な回数分発生すると、デコーダ部１１から制御部１３もしくは音声回路部１２へ転送エラー検知信号を出力する。デコーダ部１１から出力された転送エラー検知信号は、直接、または制御部１３経由で、音声回路部１２のミュート再生制御信号として使用し、転送エラーによる異音発生がスピーカ４から出力されることを回避する。
【００１３】
転送エラー検知信号は、デコーダ部１１からの端子出力とすることにより、リアルタイムに転送エラーによる異音発生を回避できる。また、表示部３に転送エラーミュート表示を行うことにより、転送エラーによるミュート再生が動作していることをユーザに認識させることができる。表示部３はＬＥＤの他に、音楽データ再生装置１が持つ表示モニタで代替してもよい。
【００１４】
図３は、この発明の実施の形態１に係る音楽データ再生装置１の動作を示すフローチャートである。
以下、図３のフローチャートを参照しながら図１、図２に示すこの発明の実施の形態１に係る音楽データ再生装置１の動作について詳細に説明する。
【００１５】
まず、音楽データ再生装置１の不図示のＵＳＢスロットにＵＳＢメモリ等の外部接続メモリ１が接続され、音楽データ再生装置１（制御部１３）の指示の下に音楽データ取得（読み込み）のためのデータ転送が開始される（ステップＳＴ３０１）。このとき、デコーダ部１１では、音楽データ処理部１１１による転送エラーの監視が行われる。ここで、転送エラーが発生した場合（ステップＳＴ３０２“Ｙｅｓ”）、エラーカウンタ部１１２は、そのエラー数をカウントして更新（＋１）する（ステップＳＴ３０３）。
エラーカウンタ部１１２は、更に、そのカウント値αと、転送エラーが人間の耳に異音と感じられる時間長（閾値β）とを比較し（ステップＳＴ３０４）、ここで、異音と感じられるレベルに相当する転送エラー回数に達したと判定した場合（ステップＳＴ３０４“α≧β”）、制御部１３へ、あるいは音声回路部１２へ直接転送エラー検出信号を出力し（ステップＳＴ３０５）、転送エラー回数に未達の場合は（ステップＳＴ３０４“α＜β”）、ステップＳＴ３０１の音楽データの転送処理（ステップＳＴ３０１）に戻る。ここでは、制御部１３がその転送エラー検知信号を受信するものとする。
【００１６】
制御部１３は、転送エラー検知信号の受信を契機に音声回路部１２に対して該当音楽データのミュート再生制御を行い（ステップＳＴ３０６）、同時に表示部３を駆動して転送エラーによるミュート再生であることをユーザに報知する（ステップＳＴ３０８）。
なお、ミュート再生の解除は（ステップＳＴ３０９）、音楽データ処理部１１１が更なる閾値（γ）比較により（ステップＳＴ３０７）、例えば、１００ｍ秒連続して転送エラーを検出できなかった場合、あるいはｎ回連続して転送エラーを検出できなかった場合（ステップＳＴ３０７“α＞γ”）に実行される。
【００１７】
以上説明のように上記したこの発明の実施の形態１に係る音楽データ再生装置によれば、外部接続メモリ１に記録された音楽データをデータ転送により取得する際、データ転送中に発生する転送エラー回数が閾値以上と認識される回数に達した場合に転送エラー検知信号を出力し、当該転送エラー検知信号に基づき該当音楽データのミュート再生制御を行なうことにより異音の発生を回避でき、また、転送エラーによるミュートの発生を、表示部３を介してユーザに報知することにより、ユーザに与える不快感を解消することができる。
なお、上記した実施の形態１によれば、データ転送中に発生する転送エラー回数を監視してミュート再生制御を行なうこととしたが、転送エラー回数を時間データに変換して監視してもよい。この場合、転送レートに依存することなく制御が可能であるといった利点を持つ（回数を監視する場合は制御が容易）。
【００１８】
実施の形態２．
図４は、この発明の実施の形態２に係るデコーダ部１１の内部構成を示すブロック図である。図２に示す実施の形態１との差異は、実施の形態１が有する構成に更に、転送エラー回数が所定の閾値を超えた場合、外部接続メモリ２に対して該当音楽データのデータ転送を停止し、次候補の音楽データの転送を指示する制御信号を出力するエラー処理部１１４が付加されたことにある。他の構成は、図２に示す実施の形態１と同様である。
すなわち、外部接続メモリ２から転送される音楽データについて、エラーカウンタ部１１２によりデータの転送エラーのカウント数が、例えば、１００００回や連続して５秒間継続して発生する等、ある閾値以上となった場合に、エラー処理部１１４から外部接続メモリ２に対して、該当データのデータ転送を停止し、次候補データを転送する指示信号を出力する。このことにより、外部接続メモリ２内のデータに問題があり、再生が困難な場合であった場合でも、例えば、次曲を再生することにより、再生不良によるユーザの不快感を低減することができる。
【００１９】
また、外部接続メモリ２に記録された音楽データに対し、データ転送中の転送エラー回数をカウントしているだけではなく、各音楽データの転送エラー数をカウントし、エラー回数の多い音楽データについては以降の音楽データ再生装置１へのデータ転送を禁止することで、異音が多く聴きづらい曲の再生を低減し、異音発生を回避することができる。
なお、このために、デコーダ部１１は、内蔵もしくは外付けされる不図示のメモリに、許容される音楽データ数分のメモリマップを割付け、当該メモリマップにデコードエラー発生の有無を記憶し、以降の該当音楽データの転送を、このメモリマップを参照することにより停止する信号を出力することが必要になる。
【００２０】
実施の形態３．
この発明の実施の形態３に係る音楽データ再生装置１にて使用されるデコード部１１は、図４に示す実施の形態２と同じ構成を持つこととするが、エラー処理部１１４が有する機能のみ若干異なる。ここでは、エラー処理部１１４は、音楽データのテータ形式を判定し、データ形式はデコード可能であるが実データはデコード不可の形式を持つ音楽データであると判定された場合、外部接続メモリ２に対して該当音楽データのデータ転送を停止する信号を出力する機能を有する。他は、図２に示す実施の形態２が有する構成と同様である。
【００２１】
すなわち、外部接続メモリ２に記録されたデータが、例えば、ドキュメントデータの拡張子をＭＰ３（MPEG Audio Layer-3）形式に変換したデータ等、実データはデコードできないが、データ形式がデコード可能な音楽形式であった場合、エラー処理部１１４により該当データはデコードエラーと判定され、外部接続メモリ２との間のデータ転送は停止される。この場合、ユーザが何らかの操作（デコードエラーの解除）をしない限り音楽データの再生は再開されない。
ここでは、外部接続メモリ２に記録された音楽データの拡張子を参照してデコードエラーと判定された場合、エラー処理部１１４は、外部接続メモリ２に対し、記録された音楽データの次候補データを転送する制御信号を生成出力することとし、このことにより、ユーザがデコードエラーを解除する手間を省くことができる。
【００２２】
また、デコードエラーとなった該当データを音楽データ処理部１１１にてデコードできないデータとして記憶しておき、外部接続メモリ２に記録された音楽データ転送リストから削除することにより、以降、該当音楽データを音声データ再生装置１に転送しないことにしてもよい。デコードエラーと判定されたことの記憶方法としては、音楽データ処理部１１１にて最大許容データ数分のメモリマップを設け、フラグ割り付け方法により実現する。このことにより、デコードエラーによる音楽データの再生停止を回避することができ、ユーザの不快感を無くすことができる。
【００２３】
上記したこの発明の実施の形態３に係る音楽データ再生装置によれば、外部接続メモリ２に記録されたデータが、デコード可能な音楽データ形式のデータであるが、実データはデコードできないデータの場合、該当データについては、上記したフラグ割り付けなどの方法により記憶しておき、次転送以降は、音楽データ再生装置１への転送を禁止することにより、デコード不可データによる音楽データ再生停止の機会が無くなり、したがって、使い勝手の良い音楽データ再生装置を提供することができる。
【００２４】
以上説明のように、音楽データ再生装置１は、デコーダ部１１が、データ転送中に発生する転送エラー回数を監視し、転送エラー回数が閾値以上と認識される回数に達した場合に転送エラー検知信号を出力し、制御部１３、もしくは音声回路部１２が、転送エラー信号に基づき該当音楽データのミュート再生制御を行なう構成とすることにより、転送エラーにより発生する異音を回避してユーザに与える不快感を解消したものである。
なお、上記したこの発明の実施の形態１〜実施の形態３において、デコーダ部１１により出力される転送エラー検知信号に基づき、制御部１３が、該当音楽データのミュート再生制御を行なうものとして説明したが、ＤＳＰで構成される音声回路部１２が行なってもよい。また、音楽データは外部接続メモリ２に記録されたものとし、ＵＳＢスロットに実装されるＵＳＢメモリのみ想定して説明したが、他に、カードスロットに実装されるメモリカード、あるいはハードディスク等のステレージデバイスで代替可能である。
【００２５】
なお、上記した実施の形態１〜実施の形態３において、音楽データ再生装置１を構成するデコーダ部１１（音楽データ処理部１１１と、エラーカウンタ部１１２と、音声データデコード処理部１１３と、エラー処理部１１４）、音声回路部１２、制御部１３におけるデータ処理は、１または複数のプログラムによりコンピュータ上で実現してもよく、また、その少なくとも一部をハードウエアで実現してもよい。
【図面の簡単な説明】
【００２６】
【図１】この発明の実施の形態１に係る音楽データ再生装置の内部構成を示すブロック図である。
【図２】図１に示すデコード部の内部構成の一例を示すブロック図である。
【図３】この発明の実施の形態１に係る音楽データ再生装置の動作を示すフローチャートである。
【図４】図１に示すデコード部の内部構成の他の一例（実施の形態２、３）を示すブロック図である。
【符号の説明】
【００２７】
１  音楽データ再生装置、２  外部接続メモリ、３  表示器、４  スピーカ、１１  デコーダ部、１２  音声回路部、１３  制御部、１４  オーディオアンプ、１１１  音楽データ処理部、１１２  エラーカウンタ部、１１３  音声データデコード処理部、１１４  エラー処理部。
【図１】
2008286876.tif 000003
【図２】
2008286876.tif 000004
【図３】
2008286876.tif 000005
【図４】
2008286876.tif 000006